(57)【特許請求の範囲】
【請求項１】
少なくとも木質化粧材と木質基材とで構成され、床施工後に縦溝を構成する縦溝予定部を有する木質床材であって、
該縦溝予定部が、該木質化粧材の表面から連続的に設けられており、
かつ、前記縦溝予定部の斜面の断面形状が、前記木質化粧材の表面側から順に、該斜面外方に突出した曲線部および直線部を連続して有し、
前記曲線部および前記直線部が下記（ｉ）式および下記（ｉｉ）式を満足する位置に配置されていることを特徴とする木質床材。
０≦ｄ１／ｄ２≦０．３    ・・・（ｉ）
０．４≦ｄ２／ｄ３≦０．６    ・・・（ｉｉ）
ただし、上記（ｉ）式および上記（ｉｉ）式中の各記号の意味は以下の通りである。
ｄ１：木質化粧材の表面から曲線部の木質化粧材表面側の端点までの深さ（ｍｍ）
ｄ２：木質化粧材の表面から曲線部の縦溝底部側の端点までの深さ（ｍｍ）
ｄ３：木質化粧材の表面から直線部の縦溝底部側の端点までの深さ（ｍｍ）
【請求項２】
前記直線部の前記縦溝底部側の端点に連続して、他の直線部または前記斜面外方に突出した他の曲線部を有することを特徴とする請求項１に記載の木質床材。
【発明の詳細な説明】
【技術分野】
【０００１】
本発明は、建築物用の木質床材に関する。
【背景技術】
【０００２】
戸建住宅、マンションその他の建築物に用いられるフローリングには、無垢の木材からなる無垢床材のほか、合板、ＭＤＦなどからなる木質基材の表面、または、これらの木質基材を積層してなる木質基材（以下、積層してなる木質基材も単に「木質基材」と呼ぶ。）の表面に銘木の化粧材を貼り付けた化粧貼床材などがある。
【０００３】
化粧貼床材は、無垢材よりも水分に起因する膨張・収縮が少ない基材を用いており、表面には各種の塗装が施され内部への水分の侵入を防止しているため、施工後の使用環境において反りが少なく扱いが容易であるなどの理由から、多くの建築現場で用いられるようになってきている。
【０００４】
化粧貼床材に用いられる木質化粧材は、厚さ０．２〜０．６ｍｍ程度の薄板と、厚さ０．７〜３．０ｍｍ程度の厚板とに大別される。薄板は、複数の木材ブロックを組み合わせ接着したものをスライサーで切削して製造される。このような製法で製造された板は突き板と呼ばれる。これに対して、厚板としては、突き板のほか、比較的厚いものは木材を帯鋸などで切り出して製造されることが多い。このような製法で製造された板は挽き板と呼ばれる。
【０００５】
一般的に、化粧貼床材表面には、接着した木材ブロックの間部分において、実用性および意匠性の観点から溝を設けることが多い。そして、床材表面に形成する溝の断面形状としては、Ｖ字型が多く用いられている。
【０００６】
しかしながら、断面形状がＶ字型の溝を形成した床材では、素材感および立体感が無垢材を用いた床材に対して劣るという欠点がある。そこで、特許文献１〜３では、外方に突出する曲面形状の溝を有する床材が提案されている。
【先行技術文献】
【特許文献】
【０００７】
【特許文献１】特開平８−２８０１２
【特許文献２】特開２００１−９０３２６
【特許文献３】特開２００２−２２７３９０
【発明の概要】
【発明が解決しようとする課題】
【０００８】
特許文献１〜３に開示された床材では、図１に例示するように、床材表面１ａに曲面形状のみの溝２２（以下、「Ｒ溝」ともいう。）が形成されているが、この形状には下記の問題が存在する。
【０００９】
図１に示すようなＲ溝では、溝底部に近いほど、床材表面に対する溝の傾斜は大きくなる。そのため、床材表面に塗料等を塗布した際に、塗料等が溝の奥まで十分になじまないという問題が生じる。
【００１０】
さらに、カッター等を用いて溝を形成するに際して、溝端部１ｂを段差なくなめらかにするためには、図１に示すように、Ｒ溝２２の曲線に接する曲率半径Ｒの曲率円２１の接線が、床材表面１ａに一致するように溝深さを調整する必要がある。しかしながら、溝深さを厳密に管理することは非常に困難であり、図２および３に示すように、曲率円２１の接線と床材表面１ａとが一致しない場合がある。
【００１１】
図２に示すように、曲率円２１が床材表面１ａよりも下方になるようにＲ溝２２が形成された場合、溝端部１ｂにおいて段違いが生じ、歩行感が悪化することになる。一方、図３に示すように、Ｒ溝２２を浅く形成した場合（図３（ａ））、Ｒ溝２２を深く形成した場合（図３（ｂ））と比べて、溝の深さによって溝端部１ｂにおける溝の傾斜角度にばらつきが生じ、床材の品質が安定しなくなるという問題がある。
【００１２】
また、図４に示すように、木質床材１が、木質化粧材１１を木質基材１２の表面に貼り付けたものである場合には、木質化粧材表面１１ａにＲ溝２２を形成するに際して、Ｒ溝２２の曲線が溝底部において木質化粧材表面１１ａに対して垂直となるため、Ｒ溝２２が深く形成されやすい。Ｒ溝２２が深く形成された場合、溝底部において木質基材１２が露出することがあり、無垢材同等の素材感が得られなくなる。
【００１３】
本発明は、素材感および立体感に優れ、かつ、安定した品質を有する木質床材を提案することを目的とする。
【課題を解決するための手段】
【００１４】
本発明は、上記の課題を解決するためになされたものであり、下記の木質床材を要旨とする。
【００１５】
（１）少なくとも木質化粧材と木質基材とで構成され、床施工後に縦溝を構成する縦溝予定部を有する木質床材であって、
該縦溝予定部が、該木質化粧材の表面から連続的に設けられており、
かつ、前記縦溝予定部の斜面の断面形状が、前記木質化粧材の表面側から順に、該斜面外方に突出した曲線部および直線部を連続して有し、
前記曲線部および前記直線部が下記（ｉ）式および下記（ｉｉ）式を満足する位置に配置されていることを特徴とする木質床材。
０≦ｄ１／ｄ２≦０．３    ・・・（ｉ）
０．４≦ｄ２／ｄ３≦０．６    ・・・（ｉｉ）
ただし、上記（ｉ）式および上記（ｉｉ）式中の各記号の意味は以下の通りである。
ｄ１：木質化粧材の表面から曲線部の木質化粧材表面側の端点までの深さ（ｍｍ）
ｄ２：木質化粧材の表面から曲線部の縦溝底部側の端点までの深さ（ｍｍ）
ｄ３：木質化粧材の表面から直線部の縦溝底部側の端点までの深さ（ｍｍ）
【００１７】
（２）前記直線部の前記縦溝底部側の端点に連続して、他の直線部または前記斜面外方に突出した他の曲線部を有することを特徴とする前記（１）に記載の木質床材。
【発明の効果】
【００１８】
本発明によれば、床施工後に縦溝を構成する縦溝予定部への塗料等のなじみが良く、溝端部における段違いに起因する問題が生じないため安定した品質を有するとともに、無垢材と同等の素材感および立体感を有し、意匠性に優れる床材を得ることができる。
【図面の簡単な説明】
【００１９】
【図１】Ｒ溝を形成した床材の一例を示す断面図である。
【図２】Ｒ溝を形成した際に段違いが生じ得ることを説明するための図である。
【図３】Ｒ溝を形成した際に溝の深さに応じて溝端部の傾斜角度がばらつくことを説明するための図であり、図３（ａ）は溝が深い場合を示し、図３（ｂ）は溝が浅い場合を示す。
【図４】Ｒ溝を形成した際に溝底部において木質基材が露出することを説明するための図である。
【図５】本発明に係る床材の一例を示す断面図である。
【図６】曲線部に接する曲率円が床材表面と交差する本発明に係る床材を示す断面図である。
【図７】曲線部に接する曲率円の接線が床材表面に一致する本発明に係る床材を示す断面図である。
【図８】縦溝予定部底部に平底を設けた本発明に係る床材を示す断面図である。
【図９】縦溝予定部底部にＶ字形状のスリットを設けた本発明に係る床材を示す断面図である。
【図１０】縦溝予定部底部に角型形状のスリットを設けた本発明に係る床材を示す断面図である。
【図１１】直線部と曲線部の接線との関係を示す図である。
【図１２】縦溝および横溝を示す本発明に係る床材の斜視図である。
【発明を実施するための形態】
【００２０】
１．縦溝予定部
本発明に係る木質床材は、少なくとも木質化粧材と木質基材とで構成され、床施工後に縦溝を構成する縦溝予定部を有する。縦溝予定部は、木質化粧材の表面、すなわち床材表面から連続的に設けられている。縦溝とは、木質床材を施工した床において、木質床材の長手方向に形成される溝である。縦溝予定部には、図１２に示すように、木質床材１に形成された縦溝２２のみならず、施工後の床において隣り合う木質床材１同士の接合箇所であって面取り加工が施され、縦溝２３を構成する部分（いわゆる「ハーフ溝」）も含まれる。木質床材において縦溝予定部は、木質床材に形成された縦溝および面取り加工を施されたハーフ溝の両方が設けられていてもよく、いずれか一方だけ設けられていてもよい。
【００２１】
以下、主として木質床材に形成された縦溝を例にとって縦溝予定部の構成を説明する。
【００２２】
図５〜１０に示すように、木質床材１において、縦溝予定部２は、斜面の断面形状が床材表面１ａ側から順に、斜面の断面形状において外方に突出した曲線部２ａおよび直線部２ｂを連続して有する。
【００２３】
本発明に係る木質床材において、縦溝予定部２は、曲線部２ａおよび直線部２ｂが、下記（ｉ）式および（ｉｉ）式を満足する位置に配置する。また、（ｉ）式および（ｉｉ）式を満足することにより、斜面の断面形状において外方に突出した曲線部２ａの幅を広くすることができ、無垢材と同等の素材感および立体感が得られ、意匠性に優れた床材を得ることができる。
０≦ｄ１／ｄ２≦０．３    ・・・（ｉ）
０．４≦ｄ２／ｄ３≦０．６    ・・・（ｉｉ）
ただし、上記（ｉ）式中の各記号の意味は以下の通りである。
ｄ１：床材表面１ａから曲線部２ａの床材表面１ａ側の端点までの深さ（ｍｍ）
ｄ２：床材表面１ａから曲線部２ａの縦溝底部側の端点までの深さ（ｍｍ）
ｄ３：床材表面１ａから直線部２ｂの縦溝底部側の端点までの深さ（ｍｍ）
【００２４】
曲線部２ａが接する曲率円２１の曲率半径Ｒは、２〜４ｍｍとすることが好ましい。曲率半径Ｒが２ｍｍ未満であると縦溝予定部断面における曲線部分が少なくなり、４ｍｍを超えると曲線が直線形状に近くなるため、いずれの場合にも、床施工後に上述の無垢材と同等の素材感および立体感が得られにくくなるためである。
【００２５】
縦溝予定部２は、曲線部２ａが接する曲率円２１が、図６に示すように床材表面１ａと交差するように形成されていてもよい。また、図７に示すように曲率円２１の接線が床材表面１ａに一致すれば、溝端部１ｂにおいて段違いがなく、なめらかな断面形状となり好ましい。これらの場合、ｄ１＝０であり、上記（ｉ）式においてｄ１／ｄ２＝０となる。
【００２６】
なお、曲線部２ａは、円弧形状であることが望ましいが、楕円弧形状等の曲線形状であってもよい。その際も、曲線部２ａを円弧で近似し、その曲率円の曲率半径Ｒを求めるものとする。
【００２７】
さらに、縦溝予定部２は、直線部２ｂを有することによって、縦溝予定部底部付近における傾斜角度を調整することが可能となり、床材表面に塗料等を塗布した際に、塗料等が縦溝予定部の奥まで十分になじむようになる。また、上記（ｉ）式および（ｉｉ）式を満足する直線部２ｂを有することによって、縦溝予定部が曲線部のみからなる場合（前記図４参照）と比較して浅くできるため、縦溝を形成した際、または床施工時に縦溝予定部の断面または底部において木質基材が露出するのを抑制することができる。縦溝予定部２の表面に露出するのが木質化粧材のみであり、木質基材が現れないと、無垢材同等の素材感が得られるため好ましい。
【００２８】
直線部２ｂの床材表面１ａに対する傾斜角度が４５°未満であると意匠性が悪化し、また、縦溝予定部に塗料溜まり等が生じる場合がある。一方、直線部２ｂの床材表面１ａに対する傾斜角度が６０°を超えると、縦溝予定部を形成するためのカッターを作るのが困難となるだけでなく、塗料等のなじみが悪くなるおそれがある。したがって、直線部２ｂの床材表面１ａに対する傾斜角度は４５〜６０°とすることが好ましい。
【００２９】
縦溝予定部２の断面形状は、床材表面１ａ側から順に、曲線部２ａおよび直線部２ｂを連続して有し、上記（ｉ）式および（ｉｉ）式を満足していれば、これらの曲線部および直線部よりも床材表面１ａ側の部分の形状については特に制限はない。
【００３０】
縦溝予定部２は、曲線部２ａの床材表面１ａ側の端点に連続して、他の直線部または他の曲線部を有することが好ましい。他の曲線部は、曲線部２ａと同様に斜面の断面形状において外方に突出し、曲線部２ａとは曲率半径が異なるものとする。図５には、曲線部２ａの床材表面１ａ側の端点に連続して、他の直線部２ｃを有する例を示す。このように他の直線部または他の曲線部を設けることによって、溝端部１ｂにおける段違いを防止することができる。
【００３１】
本発明の木質床材における縦溝予定部についての「連続」について説明する。図１１に示すように、直線部２ｂと曲線部２ａとの接点をＰ1、他の直線部２ｃと曲線部２ａとの接点をＰ2とし、Ｐ1およびＰ2での曲線部２ａの接線を、それぞれＬ1およびＬ2とする。このとき、Ｌ1に対する直線部２ｂの開き角度をθ1、Ｌ2に対する他の直線部２ｃの開き角度をθ2とする。また、床材表面１ａと他の直線部２ｃとの接点をＰ３とし、Ｐ３における床材表面１ａに対する他の直線部２ｃの傾斜角度をθ3とする。この場合、本発明の縦溝予定部についての「連続」とは、例えば、θ1およびθ2が１６０〜２１０°であり、θ3が０〜３０°であることを意味する。ただし、θ3が０°の場合、他の直線部２ｃは床材表面１ａの一部となる。他の直線部２ｃに代えて他の曲線部を設ける場合には、接点Ｐ2における他の曲線部の接線のＬ2に対する開き角度を上記角度θ2とし、接点Ｐ3における他の曲線部の接線の床材表面１ａに対する傾斜角度を上記角度θ3とし、それぞれ上記の他の直線部についての角度範囲を満たすこととする。縦溝予定部が、他の直線部２ｃを有しない場合には、曲線部２ａは、上記（ｉ）式および上記（ｉｉ）式を満足していれば当然に床材表面１ａと連続する。
【００３２】
他の直線部２ｃまたは他の曲線部を有する場合、溝端部１ｂにおける段違いを防止し、なめらかな断面形状を得るためには、傾斜角度θ3は、２．５〜２０°とすることが好ましい。傾斜角度θ3の上限は、１５°とするのがより好ましく、１０°とするのがさらに好ましい。
【００３３】
よりなめらかな断面形状を得るためには、直線部２ｂおよび他の直線部２ｃは、曲線部２ａとのそれぞれの接点において、曲線部２ａの接線と一致するような傾斜角度を有するのが最も好ましいことは言うまでもないが、多少のずれは許容し得る。前記図１１に示す開き角度θ1およびθ2は、１７０〜２００°であるのが好ましい。他の直線部２ｃに代えて他の曲線部を設ける場合には、接点Ｐ2における他の曲線部の接線の、Ｌ2に対する開き角度（上記角度θ2）が１７０〜２００°であるのが好ましい。
【００３４】
なお、意匠性および実用性の観点から、縦溝予定部の断面形状は、床施工後に縦溝の中央すなわち縦溝底部を境に左右対称であるのが好ましい。すなわち、向かい合う直線部２ｂ同士の開き角度は６０〜９０°であるのが好ましい。曲線部２ａの床材表面１ａ側に他の直線部２ｃを有する場合には、他の直線部２ｃ同士の開き角度は１４０〜１７５°であるのが好ましい。
【００３５】
本発明に係る木質床材に設ける縦溝予定部の断面形状は、床材表面１ａ側から順に、曲線部２ａおよび直線部２ｂを連続して有していれば、これらよりも縦溝底部側の形状についても特に制限はない。図５〜７に示すように、直線部２ｂ同士の接点が縦溝底部になってもよいし、図８に示すように、縦溝底部が平底２ｄであってもよい。
【００３６】
また、図９および図１０に示すように、縦溝底部にさらにＶ字状または角型形状のスリット２ｅを設けてもよい。図９には、Ｖ字状のスリット２ｅが、直線部２ｂの縦溝底部側の端点に連続する他の直線部からなる例を示す。Ｖ字状のスリット２ｅは、直線部２ｂの縦溝底部側の端点に連続する、斜面の断面形状において外方に突出した他の曲線部からなるものであってもよい。
【００３７】
縦溝の巾については、特に制限は設けないが、意匠性の観点から、４〜６ｍｍとするのが好ましい。そのため、曲線部２ａの床材表面１ａ側の端点同士の巾を調整する方が好ましく、３〜５ｍｍとするのが好ましい。上述のように、縦溝底部に平底またはスリットを設ける場合、平底２ｄの巾またはスリット２ｅの最大巾が１ｍｍを超えると、縦溝底部が目立つようになり、意匠性が悪化する。したがって、直線部２ｂの最下部同士の間隔は１ｍｍ以下とするのが好ましい。なお、曲線部２ａの床材表面１ａ側に、他の直線部２ｃまたは他の曲線部を有する場合であっても、他の直線部２ｃまたは他の曲線部は傾斜が小さく、縦溝の外観に与える影響は少ないことから、他の直線部２ｃまたは他の曲線部の巾は考慮しない。
【００３８】
さらに、床材表面１ａから直線部２ｂの縦溝底部側の端点までの深さｄ３の値については、後述のように、木質化粧材の厚さとの関係で決定するのが望ましい。
【００３９】
上述のように、本発明に係る木質床材の縦溝予定部には、図１２に示すように、施工後の床において隣り合う床材１同士の長手方向での接合箇所であって面取り加工が施され、縦溝２３を構成する、ハーフ溝も含まれる。ハーフ溝についても、上述した木質床材に縦溝２２として形成された縦溝予定部と同様の形状とする。接合箇所の縦溝２３と木質床材に形成された縦溝２２とで見た目をそろえるためには、隣り合う床材との接合時における縦溝２３の巾が縦溝２２の巾と同じになり、縦溝２３の深さが縦溝２２の深さより浅くなるように加工することが望ましい。
【００４０】
また、本発明に係る木質床材は、図１２に示すように、床材の短手方向、すなわち、縦溝２２、縦溝２３と直交する方向に横溝２４を設けてもよい。横溝２４の断面形状については特に制限は設けないが、直線部と曲線部を有する形状とするのが好ましい。また、縦溝同様に、横溝の溝底部には、平底またはスリットを設けてもよい。通常、木質化粧材は、繊維の向きが長手方向となるように製造される。そのため、横溝２４の斜面は木口面となるのが一般的である。木口面には塗料が吸い込まれやすく、色が入りやすいため、縦溝２２と見た目をそろえるためには、横溝２４は縦溝２２より巾を小さくし深さを浅くすることが望ましい。
【００４１】
２．床材
図１２に示すように、本発明に係る木質床材１は、少なくとも木質化粧材１１と木質基材１２とで構成される。木質化粧材の厚さについては特に制限はなく、木質化粧材として０．２〜０．６ｍｍ程度の薄板を用いてもよい。しかしながら、素材感すなわち木質感を向上させる観点からは、木質化粧材の厚さは１．０ｍｍ以上であることが好ましく、１．５ｍｍ以上であることがより好ましく、２．０ｍｍ以上であることがさらに好ましい。
【００４２】
木質化粧材として１．０ｍｍ以上の厚板を用いることで、縦溝を木質基材まで達することなく形成することが可能となる。上述のように、縦溝断面に露出するのが木質化粧材のみであり、木質基材が現れることがないと、無垢材同等の素材感が得られるようになるため好ましい。
【００４３】
木質化粧材として１．０ｍｍ以上の厚板を用いる場合、前述の床材表面１ａから直線部２ｂの縦溝底部側の端点までの深さｄ３の値は、木質化粧材の厚さの６０〜９０％とするのが好ましい。６０％未満では縦溝が浅く、化粧材として薄板を用いた場合と同程度の意匠性しか得られず、厚板を用いることのメリットが得られにくい。一方、９０％を超えると縦溝が深く、それに伴い縦溝の幅も大きくなりすぎるため意匠性が悪化するおそれがある。
【００４４】
一方、経済性の観点からは、木質化粧材の厚さは５ｍｍ以下とするのが好ましく、３ｍｍ未満とするのがより好ましい。
【００４５】
木質基材としては、合板、木質繊維材、無垢材、集成材、またはこれらの組み合わせを適宜使用できる。木質化粧材として１．０ｍｍ以上の厚板を用いる場合、水分に起因した化粧材の反り等の形状変形を抑制するため、合板を用いるのが望ましい。
【００４６】
木質基材の厚さについても特に制限はないが、例えば、厚さ１０ｍｍのものを用いることができる。また、木質化粧材１１と木質基材１２とを合わせた木質床材１全体としての厚さは、例えば、１２、１５ｍｍのものを用いるのがよい。木質床材１の大きさについては特に制限はないが、例えば、幅が１４５、１５０、３００、３０３ｍｍ、長さが９０９、１８１８ｍｍのものを用いることができる。
【００４７】
なお、本発明に係る木質床材は、木質基材の下方にさらに発泡樹脂、不織布等のクッション材を貼り付け、いわゆる直貼りフロアーとして用いてもよい。
【００４８】
３．製造方法
以下、本発明に係る木質床材の製造方法を例示するが、この製造方法には限定されない。
【００４９】
まず、木質化粧材を木質基材に貼り付け、その後、木質化粧材の表面側の切削加工、および／または隣り合う床材との接合箇所の面取り加工により、縦溝予定部を形成する。この際、縦溝予定部に加えて横溝、または、さらにそのハーフ溝を形成してもよい。
【００５０】
縦溝予定部の断面の曲線部および直線部、ならびにこれらの曲線部または直線部の端点に連続する他の直線部または曲線部は、別々に形成してもよいが、生産性の観点からは、直線部および曲線部、ならびに他の直線部または曲線部に対応する形状を備えた丸鋸等を用いて同時に形成するのが好ましい。この際、丸鋸の先端形状を平たくすることによって、縦溝底部に平底を設けることができる。
【００５１】
木質化粧材として１．０ｍｍ以上の厚板を用いる場合、無垢材同等の素材感を得るため、縦溝を木質基材まで達しないように形成するのが好ましいことは、前述の通りである。
【００５２】
さらに、縦溝底部にＶ字形状または角型形状のスリットを形成してもよい。スリットの形成方法に特に制限はないが、例えば、丸鋸または押し型によって形成することができる。スリットは、縦溝の一部または全部、および／または、横溝の一部または全部に形成することができる。
【００５３】
上述のように、木質化粧材として厚板を用いる場合、縦溝は、直線部の最下部が木質基材まで達しないように形成するのが好ましいが、縦溝底部に設けるスリットは、木質基材まで達するように形成するのが好ましい。その理由は以下の通りである。
【００５４】
スリットが木質基材まで達すると、木質化粧材はその部分で完全に分断されることとなる。通常、厚い木質化粧材を用いると、水分に起因した反り等の形状変形が大きくなる場合があるが、上記のスリットによって木質化粧材を分断すると、応力が分散され、反り等の形状変形が生じにくくなる。
【産業上の利用可能性】
【００５５】
本発明によれば、床施工後に縦溝を構成する縦溝予定部への塗料等のなじみが良く、溝端部における段違いに起因する問題が生じないため安定した品質を有するとともに、無垢材と同等の素材感および立体感を有し、意匠性に優れる床材を得ることができる。したがって、本発明の木質床材は建築物の内装材として用いるのに好適である。
【符号の説明】
【００５６】
１．木質床材
１ａ．床材表面
１ｂ．溝端部
２．縦溝予定部
２ａ．曲線部
２ｂ．直線部
２ｃ．他の直線部
２ｄ．平底
２ｅ．スリット
１１．木質化粧材
１１ａ．木質化粧材表面
１２．木質基材
２１．曲率円
２２．縦溝
２３．床材同士の接合箇所の縦溝
２４．横溝
【図１】
0005941104.tif 000002
【図２】
0005941104.tif 000003
【図３】
0005941104.tif 000004
【図４】
0005941104.tif 000005
【図５】
0005941104.tif 000006
【図６】
0005941104.tif 000007
【図７】
0005941104.tif 000008
【図８】
0005941104.tif 000009
【図９】
0005941104.tif 000010
【図１０】
0005941104.tif 000011
【図１１】
0005941104.tif 000012
【図１２】
0005941104.tif 000013